(57)【要約】【課題】書籍等の印刷物から、印刷した文字情報や写真情報等以外の音声情報、動画情報等の付加情報を取りだすことができる複合情報印刷物を提供する。【解決手段】複数の文字・記号を含む印刷情報１２ａ〜１２ｄと、汎用モバイル端末装置により光学的に読取可能であって、前記印刷情報を補足する付加情報を取得するためのアクセス情報を記録した印刷コード１１ａ〜１１ｄとが印刷されている複合印刷物１０ａを提供し、印刷コード１１ａ〜１１ｄを汎用モバイル端末装置３０で読み取ることにより、付加情報提供サーバ５２から付加情報を取得する。【選択図】  図１
2018093956.tif 000002
【特許請求の範囲】
【請求項１】
複数の文字・記号を含む印刷情報と、汎用モバイル端末装置により光学的に読取可能であって、前記印刷情報を補足する付加情報を取得するためのアクセス情報を記録した印刷コードとが印刷された複合情報印刷物。
【請求項２】
前記印刷情報と前記印刷コードが印刷された複合印刷物が複数枚閉じられて書籍を構成する請求項１に記載の複合情報印刷物。
【請求項３】
一枚の前記印刷媒体の前記印刷情報の印刷されていない領域に、同じ前記印刷コードが複数印刷されていることを特徴とする請求項１または２に記載の複合情報印刷物。
【請求項４】
前記印刷情報の印刷領域を含む一枚の前記印刷媒体の全体に亘り、同じ情報を表す前記印刷コードが印刷されていることを特徴とする請求項１または２に記載の複合情報印刷物。
【請求項５】
一枚の前記印刷媒体が、前記印刷情報の種類又は内容によって複数の区域に分割され、分割された前記区域ごとに異なる情報を表す印刷コードが印刷されていることを特徴とする請求項1または２に記載の複合情報印刷物。
【請求項６】
前記印刷コードは、微細な複数のドットの配置パターンによって情報を表す視認し難い２次元印刷コードであることを特徴とする請求項１から５のいずれか1項に記載の複合情報印刷物。
【請求項７】
前記印刷コードは、基準ドットを基準にして複数の情報ドットを分散配置することにより、前記基準ドットからの位置及び／または距離に基づいてデジタル値を規定する２次元コードであって、複数の前記情報ドットの総面積が前記２次元コードの表面積に対して１／３０以下であり、かつ前記情報ドットは、所定の間隔を持って分散配置されることを特徴とする請求項１〜６のいずれか１項に記載の複合情報印刷物。
【請求項８】
請求項１から６のいずれか1項に記載の複合情報印刷物から前記印刷コードを読取り、該読み取った印刷コード情報に基づいて、無線通信によりインターネット上の所定のサーバに記憶されている付加情報を読取り、該サーバから読み取った付加情報を出力するスマートフォンその他の汎用モバイル端末装置であって、
前記汎用モバイル端末装置は、撮像部（カメラ部）と、表示部と、音声出力部と、無線通信可能な無線通信部と、記憶部と、操作部と、前記各部を制御する制御部とを備え、
前記制御部は、前記撮像部により前記複合情報印刷物に印刷された前記印刷コードの画像データを取得して記憶する画像情報取得部と、
前記画像情報取得部により取得して記憶した前記印刷コードの画像情報を解析して前記印刷コードにより記録されたコード情報を読み取るコード読取部と、
前記コード読取部により読み取った前記コード情報に基づいて前記前記無線通信部を介してインターネットに接続されている付加情報提供サーバにアクセスして前記付加情報を取得して前記記憶部に記憶し、前記記憶部に記憶された前記付加情報を前記表示部、前記音声出力部に出力する付加情報取得部と、
を備えることを特徴とする汎用モバイル端末装置。
【請求項９】
前記制御部は、前記印刷コードのコード情報を読み取ったときに、該印刷コードに対応する付加情報を前記記憶部に記憶しているかどうかを確認し、対応する前記付加情報を記憶しているときには、前記付加情報提供サーバにアクセスすることなく前記記憶部から前記付加情報を読み出して、前記モバイル端末装置の音声出力部または表示部から出力することを特徴とする請求項７に記載の汎用モバイル端末装置。
【請求項１０】
前記制御部は、取得した前記付加情報を繰り返し出力するよう指定できることを特徴とする請求項８又は９に記載の汎用モバイル端末装置。
【請求項１１】
さらに、音声入力装置を備え、前記記憶部に入力された音声入力を記憶し、再生することができることを特徴とする請求項８から１０のいずれか１項に記載の汎用モバイル端末装置。
【請求項１２】
ＣＰＵと、記憶部と、撮像部と、表示部と音声出力部と、無線通信部と、前記ＣＰＵと協働して前記各部を制御する基本ソフトウェア部とを備える汎用モバイル端末装置にインストールされ、請求項１から６のいずれか１項に記載の複合情報印刷物に記録されている印刷コードを読取り、該印刷コードに対応する前記複合情報印刷物の付加情報を取得して、前記汎用モバイル端末装置から出力する前記モバイル端末装置で実行される付加情報提供プログラムであって、
前記撮像部により前記複合情報印刷物に印刷された前記印刷コードの画像データを取得して記憶する画像情報取得ステップと、
取得した前記画像データを解析して、前記印刷コードに記録されているコード情報を印刷コード読取ステップと、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得ステップと、
を備え、複合情報印刷物に印刷された印刷コードに対応する付加情報を提供する付加情報提供プログラム。
【請求項１３】
前記付加情報取得ステップは、前記印刷コードに対応する付加情報が前記記憶部に記憶されているときには、前記付加情報提供サーバにアクセスすることなく、前記記憶部から前記付加情報を読み出して、前記音声出力部または表示部から出力することを特徴とする請求項１２に記載の付加情報提供プログラム。
【請求項１４】
前記付加情報取得ステップは、要求に応じて前記付加情報を繰り返し出力することができることを特徴とする請求項１２または１３に記載の付加情報提供プログラム。
【請求項１５】
前記汎用モバイル端末装置はさらに、音声入出力部を有しており、
さらに、要求に応じて、音声入力データを記憶し、再生するステップを備えることを特徴とする請求項１２から１４のいずれか１項に記載の付加情報提供プログラム。
【請求項１６】
請求項１から６のいずれか１項に記載の複合情報印刷物と、請求項８から１１のいずれか１項に記載の汎用モバイル端末装置又は請求項１２から１５のいずれか１項に記載の付加情報提供プログラムをインストールした汎用モバイル端末装置と、インターネット上に接続され、前記汎用モバイル端末装置からの要求に応じて指定された付加情報を提供する付加情報提供サーバと、
を備えることを特徴とする付加情報提供システム。
【請求項１７】
ＣＰＵと、記憶部と、撮像部と、表示部と音声出力部と、無線通信部と、前記ＣＰＵと協働して前記各部を制御する基本ソフトウェア部とを備える汎用モバイル端末装置にインストールされ、請求項１から６のいずれか１項に記載の複合情報印刷物に記録されている印刷コードを読取り、該印刷コードに対応する前記複合情報印刷物の付加情報を取得して、前記汎用モバイル端末装置から出力する前記モバイル端末装置で実行される付加情報提供方法であって、
前記撮像部により前記複合情報印刷物に印刷された前記印刷コードの画像データを取得して記憶する画像情報を取得する工程と、
取得した前記画像データを解析して、前記印刷コードに記録されているコード情報を印刷コード読取工程と、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得工程と、
を備え、複合情報印刷物に印刷された印刷コードに対応する付加情報を提供する付加情報提供方法。
【発明の詳細な説明】
【技術分野】
【０００１】
本発明は、モバイル端末装置により光学的に読取可能な印刷コードを、文字記号等の言語情報を文書や図表（以下単に「印刷情報」と称する）として印刷した印刷記録媒体の少なくとも一部に印刷することにより、書籍等に印刷されている印刷情報以外の追加または補足する情報（付加情報）を提供する複合情報印刷物、付加情報を提供する汎用モバイル端末装置、複合情報印刷物を用いた付加情報提供システム、及び付加情報提供方法に関する。
【背景技術】
【０００２】
例えば、図１２に示すように、英語、フランス語、中国語等の言語学習参考書、その他の学習のための参考書や辞書、百科事典等の書籍または各種印刷物（以下、「書籍等」と称する）には、書籍等にＣＤやＤＶＤ等の記録媒体を付帯させた状態で販売されることが多くある。これらの記録媒体には、書籍等による学習情報や説明情報を補足してよりわかり易くかつ詳しく説明する補足情報、または書籍では提供できない発音・会話等の音声情報や動画情報などの追加情報（以下、これらの情報を「付加情報」と称する）を、音声や映像、又は画像情報としてＣＤやＤＶＤ等の記録媒体に記録されている。
また、特許文献１に記載のような書籍に２次元コード付書籍が開示されている。
【先行技術文献】
【特許文献】
【０００３】
【特許文献１】特開平１１−２６７３７３
【発明の概要】
【発明が解決しようとする課題】
【０００４】
しかし、ＣＤ等の記録媒体に記録されたこれらの付加情報を利用するには、ＣＤ等読取装置またはパーソナルコンピュータ等を使ってＣＤ等の内容を読み出す必要があるため、利用場所や利用機器が制限される。そのため、これらの付加情報を記録したＣＤ等の補助教材は利用しにくく、非常に効果的な教材であるにもかかわらず、あまり有効に利用されていない。また特許文献１の書籍は、読取リーダに記憶しておくものであり、専用の読取リーダと書籍とを対応させること必要である。そのため、書籍に合せた複数の読取リーダが必要となる。また、専用の読取リーダに音声データ等を記憶するものであるため、100頁を超える大量のデータを記憶するには大きな記憶容量の専用メモリが必要となる。
【０００５】
本発明はこのような従来のＣＤ等の記録媒体による学習補助教材等や従来技術の問題点に鑑みてなされたものであり、付加情報を読み取るための専用機器を必要とせず、いつでもどこでも付加情報を読み出して文字や記号の印刷情報以外の音声情報又は画像情報等の各種情報を提供することができる書籍等の複合情報印刷物、付加情報を取得する汎用モバイル端末装置、複合情報印刷物の付加情報を提供するために汎用モバイル端末装置にインストールする付加情報提供プログラム、付加情報提供システム、及び付加情報提供方法を提供することを目的とする。
【課題を解決するための手段】
【０００６】
上記した目的を達成するために、本発明に係る複合情報印刷物は、複数の文字・記号を含む印刷情報と、汎用モバイル端末装置により光学的に読取可能であって、前記印刷情報を補足する付加情報を取得するためのアクセス情報を記録した印刷コードとが印刷されていることを特徴とする。
【０００７】
複合印刷物は、印刷情報と前記印刷コードが印刷された複合情報印刷物が複数枚閉じられて書籍を構成している。また、一枚の前記印刷媒体の前記印刷情報の印刷されていない領域に、同じ前記印刷コードが複数印刷されていても良い。
さらに、印刷情報の印刷領域を含む一枚の前記印刷媒体の全体に亘り、同じ情報を表す印刷コードが印刷されていても良い。また、一枚の前記印刷媒体が、印刷情報の種類又は内容によって複数の区域に分割され、分割された前記区域ごとに異なる情報を表す印刷コードが印刷されていても良い。
特に、印刷コードは、微細な複数のドットの配置パターンによって情報を表す視認し難い２次元印刷コードであることが好ましい場合もある。
【０００８】
本発明に係る汎用モバイル端末装置は、上述した複合情報印刷物から印刷コードを読取り、該読み取った印刷コード情報に基づいて、無線通信によりインターネット上の所定のサーバに記憶されている付加情報を読取り、該サーバから読み取った付加情報を出力するスマートフォンその他の汎用モバイル端末装置であって、
汎用モバイル端末装置は、撮像部（カメラ部）と、表示部と、音声出力部と、無線通信可能な無線通信部と、記憶部と、操作部と、前記各部を制御する制御部とを備え、
前記制御部は、前記撮像部により前記複合情報印刷物に印刷された前記印刷コードの画像データを取得して記憶する画像情報取得部と、
前記画像情報取得部により取得して記憶した前記印刷コードの画像情報を解析して前記印刷コードにより記録されたコード情報を読み取るコード読取部と、
前記コード読取部により読み取った前記コード情報に基づいて前記前記無線通信部を介してインターネットに接続されている付加情報提供サーバにアクセスして前記付加情報を取得して前記記憶部に記憶し、前記記憶部に記憶された前記付加情報を前記表示部、前記音声出力部に出力する付加情報取得部と、
を備えることを特徴とする。
【０００９】
また、前記制御部が、前記印刷コードのコード情報を読み取ったときに、該印刷コードに対応する付加情報を前記記憶部に記憶しているかどうかを確認し、対応する前記付加情報を記憶しているときには、前記付加情報提供サーバにアクセスすることなく前記記憶部から前記付加情報を読み出して、前記モバイル端末装置の音声出力部または表示部から出力するよう構成することが望ましい。さらに、制御部により、取得した前記付加情報を繰り返し出力するよう指定できることがより好ましい。また、音声入力装置を設けて、記憶部に入力された音声入力を記憶し、再生することができると、より学習効果を高めることができる。
【００１０】
本発明に係る付加情報提供プログラムは、ＣＰＵと、記憶部と、撮像部と、表示部と音声出力部と、無線通信部と、前記ＣＰＵと協働して前記各部を制御する基本ソフトウェア部とを備える汎用モバイル端末装置にインストールされ、請求項１から６のいずれか１項に記載の複合情報印刷物に記録されている印刷コードを読取り、該印刷コードに対応する前記複合情報印刷物の付加情報を取得して、前記汎用モバイル端末装置から出力する前記モバイル端末装置で実行される付加情報提供プログラムであって、
前記撮像部により前記複合情報印刷物に印刷された前記印刷コードの画像データを取得して記憶する画像情報取得ステップと、
取得した前記画像データを解析して、前記印刷コードに記録されているコード情報を印刷コード読取ステップと、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得ステップと、
を備え、複合情報印刷物に印刷された印刷コードに対応する付加情報を提供するものである。
【００１１】
この付加情報取得ステップは、印刷コードに対応する付加情報が前記記憶部に記憶されているときには、付加情報提供サーバにアクセスすることなく、記憶部から前記付加情報を読み出して、前記音声出力部または表示部から出力することが望ましい。また、付加情報取得ステップが、要求に応じて前記付加情報を繰り返し出力することができることが好ましい。さらに汎用モバイル端末装置は、音声入出力部を有しており、要求に応じて、音声入力データを記憶し、再生するステップを備える構成とすることができる。
【００１２】
本発明に係る付加情報提供プログラムは、上述の複合情報印刷物と、汎用モバイル端末装置又は付加情報提供プログラムをインストールした汎用モバイル端末装置と、インターネット上に接続され、前記汎用モバイル端末装置からの要求に応じて指定された付加情報を提供する付加情報提供サーバとを備えることを特徴とする。
【００１３】
本発明に係る付加情報提供方法は、ＣＰＵと、記憶部と、撮像部と、表示部と音声出力部と、無線通信部と、前記ＣＰＵと協働して前記各部を制御する基本ソフトウェア部とを備える汎用モバイル端末装置にインストールされ、請求項１から６のいずれか１項に記載の複合情報印刷物に記録されている印刷コードを読取り、該印刷コードに対応する前記複合情報印刷物の付加情報を取得して、前記汎用モバイル端末装置から出力する前記モバイル端末装置で実行される付加情報提供方法であって、
前記撮像部により前記複合情報印刷物に印刷された前記印刷コードの画像データを取得して記憶する画像情報を取得する工程と、
取得した前記画像データを解析して、前記印刷コードに記録されているコード情報を印刷コード読取工程と、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得工程と、
を備え、複合情報印刷物に印刷された印刷コードに対応する付加情報を提供するものである。
【発明の効果】
【００１４】
本発明の複合情報印刷物及びこれを用いた付加情報提供システムによれば、ＣＤ、ＰＣ等の記録媒体読取装置を用いることなく、スマートフォン等の汎用モバイル端末により、どこでも印刷物から直接印刷コードを読み取り、付加情報を取得して出力することができる。これにより、特殊な設備を必要とせず、場所や時間を問わず複合印刷媒体から付加情報を直接簡単に取り出すことができ、付加情報の活用を促進することができるので、付加情報を用いたより効率的な学習が可能となる。
【図面の簡単な説明】
【００１５】
【図１】本発明に係る複合情報印刷物の一実施形態を示す図。
【図２】本発明の複    合情報印刷物に使用可能な印刷コードの一例を説明示するための概念図。
【図３】図２に示す印刷コードの情報ドット及び基準ドットの構成を説明するための概    念図。
【図４】本発明に係る複合情報印刷物の他の実施形態を示す図。汎
【図５】本発明に係る複合情報印刷物のさらに他の実施形態を示す図。
【図６】本発明に係る付加情報提供システムと、汎用モバイル端末装置の一実施形態を示す機能ブロック図を示す概念図。本発明の一実施形態に係る汎用モバイル端末装置の物理構成の一例を示す図
【図７】本発明に係る汎用モバイル端末装置の制御部の主要部品構成を例示する概念図。
【図８】付加情報提供サーバに記憶される付加情報の構成を概念的に示す図。
【図９】本発明に係る汎用モバイル装置による付加情報提供方法及び処理手順を示すフローチャート。
【図１０】本発明に係る汎用モバイル端末装置による付加情報提供方法及び処理手順のさらに他の例を示すフローチャート。
【図１１】２次元コードからなる印刷コードの他の実施形態の構成を模式的に示す図。
【図１２】従来技術の書籍にＣＤ等を付帯させて販売する販売方法の商品イメージ図。
【発明を実施するための形態】
【００１６】
以下、図面を参照しながら本発明に係る複合情報印刷物、汎用モバイル端末装置、付加情報取得システム、付加情報取得方法について説明する。
【００１７】
＜複合情報印刷物＞
図１は本発明に係る複合情報印刷物の一実施形態を示す図である。図１では、本発明に係る印刷コードを印刷した英語学習教材の１頁を例示している。紙面上には、通常の参考書と同様に、最初に基本の英文と、これを用いた会話例の領域１２ａ、訳文領域１２ｂ、説明・応用例の領域１２ｃ、及び類似の表現等の説明の領域１２ｄがある。また、これらの領域１２ａ−１２ｄの左側の空欄には、それぞれの領域に対応して印刷コード１１ａ−１１ｄが印刷されている。
なお、以下の説明においては、個々の印刷コード１１ａ―１１ｄではなく、上位概念としての「印刷コード」を表わすときには、単に印刷コード１１という符号を用いる。
【００１８】
図１では、各領域１２ａ―１２ｄに対応する左側の空欄に、印刷コード１１ａ−１１ｄがそれぞれ１個印刷した例を示している。しかし、図示していないが、それぞれの領域１２ａ―１２ｄに対応する余白部分に、各領域に対応する同じ印刷コード１１ａ―１１ｄをそれぞれ複数個印刷しても良い。これにより読取精度を空欄のどの位置にカメラ（撮像部）を向けても印刷コード１１を読み取ることができるので、印刷コードを読取易くなる。この場合、印刷コードが目障りとなるので、視認し難い印刷コード１１を印刷するようにすることが望ましい。
また、図１では１枚の複合情報印刷物１０ａを示しているが、本発明の複合情報印刷物は、一枚の用紙であっても、図１に示すような複合情報印刷物が数十頁、数百頁の冊子として閉じられた書籍であっても良い。
【００１９】
図１に示す印刷コード１１ａ〜１１ｄは、光学読取が可能な２次元コードであり、サーバへのアクセス情報及び付加情報を取りだすための所定の情報が記録されている。この実施形態においては、印刷コード１１ａ−１１ｄは図１に示す実施形態においては、対応する右側の領域に関連する付加情報を取りだすための情報が記録されている。
左上側に印刷されている印刷コード１１T1は、ページ全体の付加情報を取りだすためのアクセス情報が記録されている。
【００２０】
後述する汎用モバイル端末装置で、この印刷コード１１を読み取ると、インターネットを介して付加情報を記憶しているサーバにアクセスして、所定の付加情報を読み出して、モバイル端末装置内に記憶し、音声出力部又は表示部から対応する付加情報を出力することができる。
【００２１】
＜印刷コードの例示＞
図２及び図３を用いて、本発明に係る複合情報印刷物に印刷される印刷コードの一例を説明する。図２は、印刷コードとして使用可能な２次元コードを例示する図である。図３は、印刷コード１１を構成する微小な印刷ドット１７の配置と、その配置に対応づけられる情報を例示したものである。
図２に例示する２次元印刷コード１１はスクリーンコードと呼ばれるものである。スクリーンコードにも多数の種類があり、図２ではその一つを例示的に示すが、これに限らず、その他の種類のスクリーンコードであっても、他の２次元コードであっても光学的に読取可能であれば本発明に係る複合情報印刷物に印刷する印刷コードとして使用することができる。
【００２２】
図２に示す印刷コード１１では、ほとんど目に見えない程度の微小な印刷ドットを３ｘ３マトリクス領域１６ａ−１６ｄのいずれかの位置に配置して、印刷ドットの配置と特定の情報を一対一に結び付けることにより、情報を記録するものである。各印刷ドットの配置は、図２に破線で示している所定の基準線１５ａと１５ｂの位置を基準にして、読取ることができる。
図２では、各印刷ドット１７が３ｘ３マトリクス上のいずれかの位置に配置されているということを示すために、３ｘ３マトリクス（以下、「配置マトリクス」という」を実線で示している。しかし、図３に破線で示すように、このような３ｘ３配置マトリクスは現実には存在せず、印刷されない。
【００２３】
図２に示す印刷コード１１では、３ｘ３の配置マトリクス上に配置された印刷ドット１７が、９ｘ９のマトリクス（以下、「ドットマトリクス」という）上に配置されている。９ｘ９のドットマトリクスは、基準線１５ａと１５ｂの交差により、図２に示す区画１３のような９個の領域に区割されている。各区画１３の中には、４個の情報ビット１６ｂが存在している。また、図２の例では、縦の基準線１５ａと横の基準線１５ｂは、３種類の基準ドット１６ａ、１６ｃ、１６ｄにより、その位置が指定されている。
【００２４】
図３を用いて、図２に示す各印刷ドット１６ａ―１６ｄについて説明する。まず、基準線１５ａ、１５ｂについて説明する。
図２の例では、基準線１５ａと１５ｂが基準ドット１６ａと、基準ドット１６ｃ、及び１６ｄにより規定される。基準ドット１６ａは、３ｘ３の配置マトリクスの中央部分に印刷ドット１７が配置されている（図３の（ａ）参照）。基準ドット１６ｃは縦と横の基準線１５ａと１５ｂの交差位置に配置され、３ｘ３の配置マトリクスの中段左側位置に印刷ドット１７が配置されている（図３（ｆ）参照）。基準ドット１６ｄは、９ｘ９ドットマトリクスの下段左隅に配置され、３ｘ３配置マトリクスの中段右側位置に印刷ドット１７が配置されている（図３（ｇ）参照）が配置されている。
これらの基準ドット１６ａ、１６ｃ、１６ｄにより、印刷コード１１の位置及び基準線１５ａ、１５ｂの位置を正確に認識することができる。
【００２５】
次に、各区画１３に配置される情報ビット１２ｂについて説明する。情報ビット１２ｂは、図３（ｂ）−図１３（ｅ）に記載しているように、印刷ドット１７が３ｘ３の配置マトリクスの四隅のいずれか一つに配置されている。従って、１つの情報ビット１６ｂで０，１，２，３の４個の情報（２ビット分の情報）を表わすことができる。このような情報ビット１６ｂが、１つの区画１３に４個存在するので、１つの区画１３で２ｘ４＝８ビット分の情報を表わすことが可能となる。図２の例では、このような区画１３が９個あるので、図２の印刷コードでは、８Ｘ９＝７２ビットの情報を表わすことが可能となる。
【００２６】
印刷コードを印刷するインキの色は、ＣＭＹＫのいずれの色であってもかまわないが、文字または印刷する紙その他の印刷媒体の色とできるだけ離れた色（補色に近い色）であることが望ましい。図２及び図３に示す印刷コード１１の印刷ドット１７の大きさを小さくすれば、白の用紙に黒色で印刷ドットを印刷した場合であっても、視認し難い印刷コードとすることが可能である。しかし、印刷ドットを小さくすると、汎用モバイル端末装置のカメラの解像度では、印刷コードの読取が難しくなる。このような場合には、例えば、印刷用紙が白の場合には、印刷ドットを比較的大きくしつつ黄色で印刷すると、現在使用されている汎用モバイル端末の解像度であっても、視認し難い印刷コードとすることが可能である。
【００２７】
なお、前述したように、図２、図３に示す印刷コード１１は例示であり、光学的に読取可能なサーバアクセス及びその他の必要な情報を記録できれば、本発明の印刷コードとして使用することができる。
本発明の複合情報印刷物からどのようにして付加情報を取得できるかについては、後述する。
【００２８】
＜汎用モバイル端末装置及び付加情報提供システムの構成＞
図６と図７を用いて、本発明の一実施形態に係る汎用モバイル端末装置３０の構成及び付加情報提供システムについて説明する。図６は、本発明の一実施形態に係る汎用モバイル端末装置３０の構成と、付加情報提供システムの一例を示す図であり、図７は、その制御部３７の構成の一例を示す図である。汎用モバイル端末装置３０としては、例えば汎用のスマートフォン、タブレット型端末、携帯電話など、カメラ機能、音声出力機能、無線通信機能を有し、インターネットアクセス可能な汎用のモバイル端末装置であれば良く、画像表示機能は必ずしも必須の構成要素ではない。
【００２９】
図６、７に示す汎用モバイル端末装置３０は、撮像部３１、操作部３２、音声入出力部３２、表示部３４、データ記憶部３５、通信部４２、及び制御部３７を備えている。
ここで、表示部３４は、画像表示機能を有することが望ましいが、最低限操作に必要な表示機能は必要であるが、必ずしも画像表示機能が必要であるわけではない。また、図６、図７では、音声入出力部３３を有する構成としたが、音声入力機能については、入力機能を有する方が望ましいが、音声入力機能は必須の機能ではない。
なお、本願発明において汎用のモバイル端末装置とは、少なくとも撮像部３１による取得できる画像データの解像度が「１００ｄｐｉ」以上であり、本段落に示す基本構成要素を有するものをいう。
【００３０】
撮像部３１は例えばＣＣＤ等の撮像素子等を備えるカメラ機能があればよく、操作部３２は、ボタンスイッチ、タッチプレート、その他のデータ入力機能があれば良い。音声入出力部３３は、基本的には音声からなる付加情報を出力できるものであれば良いが、マイク等の音声入力機能があれば、自分の発音を入力して記憶再生して自分の発音等を確認することが可能となるので、学習効果をより上げることが可能となる。表示部３４は操作に必要な表示が表示されれば基本機能としては足りるが、動画や静止画が表示できれば、付加情報として動画データ等があるときに再生して表示することが可能となる。データ記憶部３５は、サーバ等からダウンロードした付加情報や、入力した音声情報等を記憶する。データ記憶部３５は、制御部３７の内部に設けられていても良い。通信部４２は、外部と無線通信できる機能及び外部中継器５１を介してインターネット５０に接続し、データの送受信ができる機能を有している。
【００３１】
制御部３７は、入出力インターフェース３８と、動作制御部３９、画像情報取得部４０、コード読取部４１、付加情報取得部４２を有している。入出力インターフェース３８を介して、モバイル端末装置３０内の各部と制御部３７とがデータの入出力を行う。動作制御部３９は、モバイル端末装置内部の各部３１−３６の動作を制御するとともに、制御部３７内の各部４０−４２の動作を制御する。画像情報取得部４０は、動作制御部３９を制御して、撮像部３１を駆動して印刷コード１１を撮像して画像情報を取得する。コード読取部４１は撮像部３１から取得した画像データを解析して、印刷コード１１等を読み取り、印刷コード１１等に記録されている情報を取りだす。付加情報取得部４２は、印刷コードから読み取った情報に基づいて、通信部３６を介してインターネット５０にアクセスし、付加情報提供サーバ５２ａ、５２ｂから付加情報を取得する。取得した付加情報は、データ記憶部３５に記憶される。
【００３２】
さらに図７に、制御部３７の機能を、ソフトウェア（プログラム）を用いて実施する場合の一般的な構成例を説明する。ソフトウェアを用いて制御部３７の動作制御、印刷コードの画像情報の取得、印刷コードの読取、及び付加情報の取得機能を実行するために、入出力インターフェース（入出力Ｉ／Ｆ）３８の他に、基本構成として、ＣＰＵ６０，ＲＯＭ６１、ＲＡＭ６２がバス６３により接続されている。これらの構成要素の他に、画像や動画の取得や出力、音声出力を円滑にする入出力処理部６４及びバスコントロール（図示せず）を別途設けることも可能である。
【００３３】
ＣＰＵ６０は、マイクロプロセッサ―等により構成され、プログラムを実行する。ＲＯＭ６１は、ＣＰＵ６０の基本動作を実行するファームウェアやオペレーティングシステム（ＯＳ）を記憶している。ＲＡＭ６２は、ＣＰＵ６０の動作に必要なデータやＣＰＵで実行するプログラムを記憶する。ＣＰＵ６０で実行するためのデータやプログラムをキャッシュ記憶するキャッシュメモリーを別途設けても良い。
【００３４】
汎用モバイル端末装置３０は、一般的に、ＣＰＵ６０、ＲＯＭ６１、ＲＡＭ６２及び上記最低限の基本構成は備えているので、付加情報取得プログラム（ソフトウェア：（汎用モバイル端末装置にインストールすることにより付加情報を取得すための制御プログラム）をインストールすることにより、本発明の汎用モバイル端末装置とすることが可能となる。付加情報取得プログラムは、モバイル端末装置３０の各部を制御して、撮像部３１により印刷コードの画像情報を取得して印刷コードを読取り、その情報に基づいてインターネットに接続して付加情報提供サーバ５２から付加情報を取得し、取得した付加情報を記億するとともに、モバイル端末装置３０の付加情報に対応する各出力部３３又は３４から出力する。
【００３５】
付加情報取得プログラムは、インターネット５０上のソフトダウンロードサーバー５５から、ダウンロードして汎用モバイル端末装置３０にインストールできる構成とすることが好ましい。付加情報取得プログラムを、書籍等の印刷物にＣＤ等の記録媒体として付属して、ＰＣ等を介して汎用モバイル端末装置にインストールすることも可能である。
【００３６】
印刷コード１１が読み取られると、モバイル端末装置３０の無線通信機能によりから中継器５１を介してインターネット５０に接続され、印刷コードに記録された情報に基づいて所定の付加情報提供サーバにアクセスする。付加情報サーバ５２は一個に限らず複数存在しても良い。
【００３７】
＜複合情報印刷物の他の実施形態＞
図４及び図５を用いて、本発明に係る複合情報印刷物の他の実施形態を説明する。
図４は本発明の他の実施形態に係る複合情報印刷物１０ｂを示す図である。図４の複合情報印刷物１０ｂでは、印刷コード２１ａ−２１ｂ、２１Ｇ１-，２１Ｇ２が丸い形状となっている。このように、印刷コードの形状は四角形の形状に限らず、円形その他の形状としても良い。また、鳥や花のイラストを印刷してそれと重ねてまたはその近傍に、見えない（又は見え難い）印刷コードを印刷しても良い。図４の複合情報印刷物では、各英単語をグループに区分けし、各グループの付加情報を取得する印刷コード２１Ｇ1、２１Ｇ２と、各単語（図４では、Absent, Sure, Certain, Responsible, Plenty等）に対応する付加情報を取得する印刷コード２１ａ−２１ｅが示されている。
【００３８】
図５は、本発明の他の実施形態に係る複合情報印刷物１０ｃの例を示す図である。この複合情報印刷物では、１頁に同じ印刷コード２１Ｔが複数ページ全体に亘って印刷されている。このページの全面に同じ印刷コード２１Ｔが複数存在するため、どこにカメラをかざしても印刷コード２１Ｔを読み取ることができる。付加情報を取得することが可能となる。このような形態は、比較的初歩的な学習参考書において、付加情報が少ない場合に、１つの印刷コードから一度に書籍すべての付加情報を取得できるようにする場合、または１頁分の付加情報を取得することができるようにする場合などに有効である。
【００３９】
図５の実施形態のようにページ全面に印刷コード２１Ｔを印刷する場合、紙面に印刷されている文字情報等が見難くなるので、印刷コードは見え難い印刷コードで印刷することが望ましい。汎用モバイル端末装置３０の場合には、専用の読取ペン等と比べると、撮像部の解像度が低いのであまり細かいドットで印刷すると印刷コードの読取精度が悪くなる。そのような場合、白い用紙の場合には、黄色のインキ（Ｙ）で印刷ドットを印刷すると、印刷ドットの径を比較的大きくしても視認し難くなり、文字情報も読みやすい。一方、印刷ドットも大きいので、印刷コードの読取精度も一定の精度を維持することができる。
【００４０】
＜印刷コードの他の実施形態＞
上述した通り、印刷コード１１は所定の情報を記録できる２次元コードであれば良いが、その例として、図１１に前述の図２，３で説明した構成とは異なる他の２次元コードからなる印刷コード１００の実施形態を示す。図１１に示す印刷コード１００には複数の微細な印刷ドット１０１が広い間隔をもって複数配置されている。図１１では印刷ドット１０１は、６ｘ６＋２＝３８ドット配置されているが、これに限定されることなく、自由な数を設定可能である。中央部分の微細なドット１０３〜１０８は基準ドットであり、この基準ドットの位置を基準にして各情報ドットの情報を読み取る。なお、図１１では基準ドット１０３〜１０８には、３ｘ３のマトリクスが実線で示されているが、実際はこのような実線は印刷されず、ドット１０３〜１０８のみが印刷される。
【００４１】
基準ドット１０３〜１０７は、３Ｘ３のマトリクスの位置の中央にドットが配置されており、これらが対角線上及び矩形状に所定の距離間隔で配置されている。この基準ドットの位置は、印刷コード１００を読み取った画像データを解析することにより、認識することができる。
【００４２】
基準ドット以外の印刷ドットＳ１１〜Ｓ６６（Ｓ２２，Ｓ２５，Ｓ５２，Ｓ５５を除く）は、情報ビット（以下、「情報ドットＳ１１等と称する）である。情報ビットＳ１１等は、所定の規則を持って偏在している。情報ドットＳ１１等の表す“値”（デジタル値）は、基準ドット１０３〜１０８に対する位置及び／又は距離により、一定の“値”を示すように定められる。情報ドットの配置及び偏在についての条件・規則は一定の基準基づいて自由に設定することができ、例えば、以下のような基準に基づいて定めることができる。
（ｉ）１つの印刷コードの表面積に対して埋め込む情報ドットの面積が、表面積の１／３０以下であること
（ii）各印刷ドット及び基準ドットは、それぞれ間隔を持って分散して配置する。
すなわち、この印刷コード１００は、基準ドットの位置を基準にして複数の情報ドットを分散配置することにより、前記基準ドットからの位置及び／または距離に基づいてデジタル値を規定する２次元コードであって、複数の前記情報ドットの総面積が前記２次元コードの表面積に対して１／３０以下であり、かつ前記情報ドットは、所定の間隔を持って分散配置されることを特徴とするものである。
【００４３】
＜付加情報＞
図８に、付加情報提供サーバ５２に記憶される付加情報の構成を概念的に示す。サーバに記憶される付加情報は、印刷コード１１ａ―１１ｄ、１１Ｔに記録されている情報に対応する。例えば、図１に示す印刷コード１１ａに対応して領域１２ａの英文の音声情報として付加情報１が記録されており、その他会話の動画等が付加情報２として記録されている。また、印刷コード１１ｂ−１１ｄに対応して、それぞれ領域１２ｂ−１２ｄに対応する音声、画像、又は動画等による付加説明、付加応用例が付加情報１−３としてそれぞれ記録されている。また、印刷コード１１T1に対応して、付加情報１１ａから１１ｄの付加情報がすべて読み出されるように記録されており、付加情報２として付加情報１１T1特有の情報が記録されている。
【００４４】
特定の印刷コード１１ａ−１１ｄ等が読み取られることにより、モバイル端末３０から付加情報提供サーバ５２にアクセスがあったときに、読み取られた印刷コード１１ａ−１１ｄ等に対応する付加情報１−３が付加情報提供サーバ５２から読み取られ、アクセスのあったモバイル端末装置３０に送信される。
例えば、印刷コード１１ａが読み取られると、付加情報提供サーバ５２から、印刷コード１１ａに対応する付加情報１及び２が読みだされ、アクセスしてきたモバイル端末装置３０に送信される。モバイル端末装置３０では、サーバ５２から受信した付加情報を、印刷コード１１ａに対応する付加情報１及び２としてデータ記憶部３５またはＲＡＭ６２に記億する。
【００４５】
また、例えば、印刷コード１１Ｔ１を読み取った場合は、付加情報提供サーバ５２から印刷コード１１ｂ−１１ｄのすべての付加情報が一度に提供され、さらに印刷コード１１T1に固有の付加情報２が提供される。これらの付加情報は、モバイル端末装置３０のデータ記憶部３５又はＲＡＭ６２に記憶される。制御部３７は、モバイル端末装置３０に記憶している付加情報に対応する印刷コードを読み取ったときには、付加情報提供サーバ５２にアクセスすることなく、モバイル端末装置３０に記憶している対応する付加情報を出力する。
【００４６】
＜付加情報取得方法及び取得処理手順＞
図９を用いて、複合情報印刷物から付加情報を取得して、汎用モバイル端末装置に出力する方法及び処理手順を説明する。
まず汎用モバイル端末装置３０の画像情報取得部４０の制御に基づいて、撮像部３１により複合情報印刷物１０ａ、１０ｂ、１０ｃに印刷されている印刷コード１１の１つを撮像し、印刷コード１１の画像データを取得し、モバイル端末装置３０内に記憶する（Ｓ１）。次に、コード読取部４１により、取得した画像データから印刷コード情報を読み取る（Ｓ２）。印刷コード情報には、読み取った印刷コードに対応する付加情報を取得するための情報、例えばサーバアドレス、サーバ内の印刷コードに対応する付加情報が記録されているアドレス情報等が含まれる。なお、付加情報提供サーバ５２へのアクセス情報は、付加情報取得プログラム内に共通データとして記憶させておき、個々の付加情報を取得するためのアクセス情報等のみを印刷コードとして記録するようにしても良い。
【００４７】
次に、印刷コード１１が過去に既に読み取られたことがあり、読み取った印刷コードに対応する付加情報が既に当該モバイル端末装置３０内に記憶されているかどうかが確認される（Ｓ３）。過去にサーバから付加情報を取得してモバイル端末装置内に記憶している場合には（Ｓ９ Ｙｅｓ）、モバイル端末装置３０から対応する付加情報を読み出して（Ｓ５）、読み出した付加情報を音声出力部３３または画像出力部（表示部）３４から出力する（Ｓ９）。
【００４８】
読み取った印刷コード１１の読取が、今回が初めてであれば、その印刷コード１１に対応する付加情報はモバイル端末装置３０には記憶されていない（Ｓ３：Ｎｏ）。この場合には、付加情報取得部４２は、通信部３７を制御して、ＷｉＦｉその他の中継器５１を介して、インターネット５０に接続し、付加情報提供サーバ５２にアクセスする（Ｓ４）。付加情報提供サーバ５２から関連する付加情報をすべて受信すると（Ｓ６：Ｙｅｓ）、付加情報をモバイル端末装置３０のデータ記憶部３５またはＲＡＭ６２に記憶する（Ｓ７）。次に、付加情報記憶済フラグをＯＮにして、取得した付加情報を音声出力部３３または画像出力部（表示部）３４に出力する。
【００４９】
付加情報の出力の終了により、付加情報取得表示の処理手順は終了するとしても良い。しかし、特に学習教材等では、付加情報を繰り返し聴きたい又は見たい場合もあるので、付加情報を繰り返して出力するかどうかを希望するかを確認して（Ｓ１０）、繰り返しを希望する場合には（Ｓ１０：Ｙｅｓ）、同じ付加情報を再度出力する（Ｓ９）ように構成することが望ましい。繰り返しを希望しない場合には（Ｓ１０：Ｎｏ）、付加情報の出力を停止して、処理を終了する。なお、繰り返し回数を設定することができるようにすることも、停止入力をするまで、繰り返すように構成することも可能である。
【００５０】
また、音声入力が可能なモバイル端末装置３０の場合には、図１０に示すように、付加情報の出力を停止した後に（Ｓ１０：Ｎｏ）、音声入力を希望するかどうかを確認し（Ｓ１１）、音声入力を希望しない場合には（Ｓ１１：Ｎｏ）、処理を終了する。音声入力を希望する場合には（Ｓ１１：Ｙｅｓ）、英語の発音等の音声を入力するとともに入力した音声データをモバイル端末３０内に記憶する（Ｓ１２）。次に入力した音声の再生を希望する場合には（Ｓ１３：Ｙｅｓ）、入力音声の再生を行う（Ｓ１4）。入力音声の再生を希望しない場合には（Ｓ１３：Ｎｏ）、処理を終了する。また、入力音声の再生後、さらに音声再入力を希望する場合には（Ｓ１５：Ｙｅｓ）、音声入力及び記憶を行い（Ｓ１２）、同様の処理を繰り返す（Ｓ１３-Ｓ１５）。さらに音声の再入力を希望しない場合には（Ｓ１５：Ｎｏ）、処理を終了する。
【００５１】
また、本発明の他の実施形態では、一度サーバから読み出して記憶した付加情報を削除して、他の付加情報と入れ替えることもできる。この場合には、付加情報の記憶管理記録も更新して、削除した付加情報に対応する印刷コードを再度読みだしたときには、再度サーバへの読み出しアクセスを行う。また、付加情報のダウンロードの量に応じて、一冊の書籍の付加情報を一度にダウンロードすることも、いくつかに分割して時間をずらして、アクセス量が少ない時間帯に少しずつダウンロードするように管理する構成とすることも可能である。
【符号の説明】
【００５２】
１０ａ、１０ｂ、１０ｃ  複合情報印刷物
１１ａ‐１１ｄ、１１Ｔ１、２１ａ‐２１ｅ、２１Ｇ１、２１Ｇ２、２１Ｔ  印刷コード３０  汎用モバイル端末装置
４０  画像情報取得部
４１  コード読取部
４２  付加情報取得部
５２  付加情報提供サーバ
９０  書籍
９２  記録媒体（ＣＤまたはＤＶＤ）
【図１】
2018093956.tif 000003
【図２】
2018093956.tif 000004
【図３】
2018093956.tif 000005
【図４】
2018093956.tif 000006
【図５】
2018093956.tif 000007
【図６】
2018093956.tif 000008
【図７】
2018093956.tif 000009
【図８】
2018093956.tif 000010
【図９】
2018093956.tif 000011
【図１０】
2018093956.tif 000012
【図１１】
2018093956.tif 000013
【図１２】
2018093956.tif 000014